(57)【特許請求の範囲】
【請求項１】
搬送ベルトの外表面に付着している付着物を、搬送ベルトの搬送方向に対して、所定の角度で斜めに横断させた状態で取り付けられ、搬送ベルトの外表面に当接させた掻き取り部材で掻き取り除去する搬送ベルトクリーナであって、
この搬送ベルトクリーナは、複数個の掻き取りブロックが隣接して配置され、当該各掻き取りブロックの並び方向に沿って並行する３本のワイヤ挿通孔が設けられて構成された掻き取り部材と、
この掻き取り部材を構成する各掻き取りブロックの各ワイヤ挿通孔にそれぞれ挿通される３本のワイヤと、
各ワイヤ挿通孔にそれぞれ挿通された３本のワイヤの、前記掻き取り部材の両端から逸脱させた両末端側部分をまとめて固定する一対の固定片と、
を具備し、
前記ワイヤ挿通孔は、並び方向に対して直行する、各掻き取りブロックの幅方向において、その両側と、中間位置または中間位置よりも搬送上流側とに設けられており、
３本のワイヤの両末端側部分が、それぞれ前記固定片によってまとめて固定されることによって、
搬送下流側のワイヤと、搬送上流側のワイヤと、一対の固定片と、によって囲まれた仮想平面が形成され、
且つ、前記仮想平面と、搬送下流側のワイヤと搬送上流側のワイヤとの間に存する残りのワイヤと、が一体化した状態となされていることを特徴とする搬送ベルトクリーナ。
【請求項２】
請求項１記載の搬送ベルトクリーナの掻き取り部材を、プーリーの外側から搬送ベルトに当接し、当該搬送ベルトの搬送方向に対して所定角度だけ傾斜して構成される搬送ベルトクリーナ構造であって、
掻き取り部材の両端と、前記固定片との間に存する余剰部分のワイヤに、掻き取りブロックのガタツキを防止するカラー部材が設けられて、前記掻き取り部材が、前記仮想平面に一体化した状態で固定され、
一方の固定片よりさらに末端側のワイヤは、コンベアの一側に配置された固定装置に固定され、
他方の固定片よりさらに末端側のワイヤは、コンベアの他側に配置されて当該ワイヤを長手方向に沿って伸縮可能にする弾性固定装置に弾性固定されてなることを特徴とする搬送ベルトクリーナ構造。
【請求項３】
前記仮想平面を構成する搬送下流側のワイヤと搬送上流側のワイヤのうち、何れか一方が長く他方が短くなるように固定片に固定されて掻き取り部材が円弧状となされた請求項２記載の搬送ベルトクリーナ構造。
【請求項４】
前記仮想平面を構成する搬送下流側のワイヤと搬送上流側のワイヤのうち、搬送上流側のワイヤが短く搬送下流側のワイヤが長くなるように固定片に固定されて円弧状となされた掻き取り部材の内径が搬送上流側を向くようになされた請求項３記載の搬送ベルトクリーナ構造。
【発明の詳細な説明】
【技術分野】
【０００１】
本発明は、搬送ベルトの外表面に付着した付着物を除去するための搬送ベルトクリーナと、この搬送ベルトクリーナを用いた搬送ベルトクリーナ構造とに関するものである。
【背景技術】
【０００２】
従来より、ベルトコンベア等における搬送ベルトの外表面に付着している付着物を除去するための装置としては、搬送ベルトの外表面に、適宜の間隔で配設した２条のワイヤを当接させて、前記付着物を掻き取り除去するように構成された搬送ベルトクリーナが提案されている（特許文献１参照）。
【０００３】
他の搬送ベルトクリーナとしては、ワイヤに、複数の除去片を挿通してベルトクリーナとし、搬送ベルトの進行方向に対して斜め方向に設けて、除去片を搬送ベルトの湾曲や不陸に追随させるように構成したものが提案されている（特許文献２参照）。
【０００４】
さらに他の搬送ベルトクリーナとしては、平行する二本のワイヤに複数の除去片を挿通してベルトクリーナとし、搬送ベルトの進行方向に対して斜め方向に設けて、除去片を搬送ベルトの湾曲や不陸に追随させるように構成したものが提案されている（特許文献３，４参照）。
【先行技術文献】
【特許文献】
【０００５】
【特許文献１】実開昭５４−４７７８４号公報
【特許文献２】特開２００７−１４５４９４号公報
【特許文献３】特開２００５−２５５３７５号公報
【特許文献４】特開２０１０−２６９９３７号公報
【発明の概要】
【発明が解決しようとする課題】
【０００６】
しかし、前記特許文献１に記載の搬送ベルトクリーナの場合は、ワイヤを搬送ベルトに沿わせることが難しく、十分に付着物を除去することができないといった不都合を生じることとなる。
【０００７】
前記特許文献２記載の搬送ベルトクリーナの場合は、経時的使用によってワイヤのテンションが緩くなってきた際に、搬送ベルトの表面に付着した付着物によって、除去片が反転してひっくり返り易くなってしまう。また、これを防止するためには、定期的なメンテナンスが必要とされ、その作業が煩わしいといった不都合があった。
【０００８】
前記特許文献３および４に記載の搬送ベルトクリーナの場合は、二本のワイヤのそれぞれを個別に固定しているため、経時的使用でそれぞれのワイヤのテンションに差を生じることとなる。特に、搬送ベルトの上流側のワイヤは、下流側のワイヤよりも負荷が大きく加わるため、ワイヤが緩み易くなる。その結果、この二本のワイヤのテンションの差異が除去片の反転をより助長してしまうことになるといった不都合を生じる。
【０００９】
本発明は係る実情に鑑みてなされたものであって、簡単に構成することができ、故障も少なく、しかも搬送ベルトの外表面に付着した付着物を効率良く掻き取ることができる搬送ベルトクリーナと、それを用いた搬送ベルトクリーナ構造とを提供することを目的としている。
【課題を解決するための手段】
【００１０】
上記課題を解決するための本発明の搬送ベルトクリーナは、搬送ベルトの外表面に付着している付着物を、搬送ベルトの外表面に当接させた掻き取り部材で掻き取り除去する搬送ベルトクリーナであって、この搬送ベルトクリーナは、複数個の掻き取りブロックが隣接して配置され、当該各掻き取りブロックの並び方向に沿って並行する３本のワイヤ挿通孔が設けられて構成された掻き取り部材と、この掻き取り部材を構成する各掻き取りブロックの３本のワイヤ挿通孔に挿通されるワイヤとを具備し、前記ワイヤ挿通孔は、並び方向に対して直行する、各掻き取りブロックの幅方向において、その両側と、中間位置または中間位置よりも搬送上流側とに設けられているものである。
【００１１】
また、上記課題を解決するための本発明の搬送ベルトクリーナ構造は、上記の搬送ベルトクリーナの掻き取り部材を、プーリーの外側から搬送ベルトに当接し、当該搬送ベルトの搬送方向に対して所定角度だけ傾斜して構成される搬送ベルトクリーナ構造であって、掻き取り部材に挿通されて、当該掻き取り部材の両側に位置する３本のワイヤには、当該ワイヤを一体に固定する固定片が固定され、掻き取り部材は、前記固定片との余剰部分のワイヤに、掻き取りブロックのガタツキを防止するカラー部材が設けられて３本のワイヤに平面的に一体化した状態で固定され、一方の固定片よりさらに末端側のワイヤは、コンベアの一側に配置された固定装置に固定され、他方の固定片よりさらに末端側のワイヤは、コンベアの他側に配置されて当該ワイヤを長手方向に沿って伸縮可能にする弾性固定装置に弾性固定されてなるものである。また、上記搬送ベルトクリーナ構造において、搬送下流側のワイヤと搬送上流側のワイヤのうち、何れか一方が長く他方が短くなるように固定片に固定されて掻き取り部材が円弧状となされたものであってもよい。さらに、上記搬送ベルトクリーナ構造において、搬送上流側のワイヤが短く搬送下流側のワイヤが長くなるように固定片に固定されて円弧状となされた掻き取り部材の内径が搬送上流側を向くようになされたものであってもよい。
【００１２】
さらに、上記課題を解決するための本発明の搬送ベルトクリーナ構造は、上記の搬送ベルトクリーナの掻き取り部材を、プーリーの外側から搬送ベルトに当接し、当該搬送ベルトの搬送方向に対して所定角度だけ傾斜して構成される搬送ベルトクリーナ構造であって、掻き取り部材に挿通されて、当該掻き取り部材の両側に位置する３本のワイヤには、当該３本のワイヤを個々に固定する固定片が固定され、各固定片と掻き取り部材との余剰部分のワイヤには、掻き取りブロックのガタツキを防止するカラー部材が設けられ、一方の固定片よりさらに末端側のワイヤは、コンベアの一側に配置された複数の固定装置に個々に固定され、他方の固定片よりさらに末端側のワイヤは、コンベアの他側に配置されて当該ワイヤを長手方向に沿って伸縮可能にする複数の弾性固定装置に個々に弾性固定されてなるものである。また、上記搬送ベルトクリーナ構造において、搬送上流側のワイヤが、中間および搬送下流側のワイヤよりも強いテンションで張設されたものであってもい。さらに、上記搬送ベルトクリーナ構造において、３本のワイヤには、搬送上流側および中間の２本のワイヤをまとめて固定する固定片と、残る搬送下流側のワイヤに固定する固定片とが設けられ、掻き取り部材は、少なくとも前記搬送上流側および中間の２本のワイヤをまとめて固定した範囲で平面的に一体化した状態で固定されてなるものであってもよい。さらに、上記搬送ベルトクリーナ構造において、搬送上流側および中間のワイヤが、搬送下流側のワイヤよりも強いテンションで張設されたものであってもよい。
【００１３】
さらに、上記課題を解決するための本発明の搬送ベルトクリーナ構造は、固定装置と弾性固定装置との間における搬送上流側のワイヤの固定距離間隔は、固定装置と弾性固定装置との間における搬送下流側のワイヤの固定距離間隔よりも狭くなされたものである。
【発明の効果】
【００１４】
以上述べたように、本発明によると、掻き取り部材のワイヤ挿通孔は、並び方向に対して直行する、各掻き取りブロックの幅方向において、その両側と、中間位置または中間位置よりも搬送上流側とに設けているので、これらワイヤ挿通孔に挿通した３本のワイヤによって掻き取り部材を搬送ベルトの外表面に面状に当接することができ、当該掻き取り部材の反転による故障を防止することができるとともに、搬送ベルトの外表面に付着した付着物を掻き取り部材によって効率良く掻き取ることができることとなる。
【図面の簡単な説明】
【００１５】
【図１】本発明に係る搬送ベルトクリーナ構造を示す斜視図である。
【図２】本発明に係る搬送ベルトクリーナ構造を示す正面図である。
【図３】（ａ）は本発明に係る搬送ベルトクリーナ構造における掻き取り部材の搬送ベルトへの当接具合を示す側面図、（ｂ）は同掻き取り部材の分解斜視図である。
【図４】本発明に係る搬送ベルトクリーナ構造における固定装置の部分を示す分解斜視図である。
【図５】本発明に係る搬送ベルトクリーナ構造における弾性固定装置の部分を示す分解斜視図である。
【図６】本発明に係る搬送ベルトクリーナにおける掻き取り部材の他の実施の形態を示す平面図である。
【発明を実施するための形態】
【００１６】
以下、本発明の実施の形態を図面を参照して説明する。
【００１７】
図１および図２は搬送ベルトクリーナ構造を示し、図３は同搬送ベルトクリーナ構造に用いられている搬送ベルトクリーナ１の掻き取り部材２を示し、図４は搬送ベルトクリーナ構造に用いられる固定装置４を示し、図５は搬送ベルトクリーナ構造に用いられる弾性固定装置５を示している。
【００１８】
この搬送ベルトクリーナ構造は、搬送ベルトクリーナ１の掻き取り部材２に挿通されたワイヤ３の一端に固定装置４を固定し、他端に弾性固定装置５を固定して構成されており、ベルトコンベア１００における駆動プーリ１０１の位置において、搬送ベルト１０２の外表面に、搬送ベルトクリーナ１の掻き取り部材２を当接させて、搬送ベルト１０２の外表面に付着した付着物を掻き取り除去するものである。
【００１９】
前記ベルトコンベア１００は、駆動プーリ１０１と従動プーリ（図示省略）との間に、搬送ベルト１０２を無端状（エンドレス）に巻き付け、駆動プーリ１０１を矢印方向（図１参照）に回転させることにより搬送ベルト１０２を周回運動させるものである。
【００２０】
搬送ベルトクリーナ１は、掻き取り部材２と、ワイヤ３とを具備して構成されている。
【００２１】
掻き取り部材２は、複数個の掻き取りブロック２１を隣接して配置して構成されている。この掻き取りブロック２１は、アルミナセラッミス素材からなり、厚みＤが３０ｍｍ、幅Ｗが６０ｍｍ、高さＴが２５ｍｍの略直方体状に形成されており、その当接面には、両側面の上縁部から当接面の中央部に向かうにしたがって低くなるように、厚み方向に沿ってＶ溝部２２が設けられている。また、掻き取りブロック２１の一方の端面から他方の端面に向けて貫通する第一ワイヤ挿通孔２０ａと第二ワイヤ挿通孔２０ｂと第三ワイヤ挿通孔２０ｃとが、厚み方向に沿って平行して設けられている。このうち、第一ワイヤ挿通孔２０ａと第三ワイヤ挿通孔２０ｃとは、端面の両側に位置し、掻き取りブロック２１の厚み方向に沿った中心線を境界にして線対称な位置に設けられている。第二ワイヤ挿通孔２０ｂは、掻き取りブロック２１の幅方向に沿った中心位置で幅方向に沿って設けられている。掻き取り部材２は、搬送ベルト１０２の幅にあわせて掻き取りブロック２１を配置する数が調整される。説明の便宜上、搬送ベルトクリーナ１をベルトコンベア１００に取り付けた状態で、搬送上流側に位置する挿通孔を第一ワイヤ挿通孔２０ａ、搬送下流側に位置する挿通孔を第三ワイヤ挿通孔２０ｃとする。
【００２２】
ワイヤ３は、複数個の掻き取りブロック２１を隣接して配置した状態で、各掻き取りブロック２１の第一ワイヤ挿通孔２０ａと第二ワイヤ挿通孔２０ｂと、第三ワイヤ挿通孔２０ｃとのそれぞれに挿通される。この際、隣接する掻き取りブロック２１間には、ワッシャ２３が設けられる。また、末端の掻き取りブロック２１のさらに末端側において、各ワイヤ３には、金属製の短管から構成されたカラー部材２４が設けられる。
【００２３】
カラー部材２４を設けたさらに末端側のワイヤ３には、平行する３本のワイヤ３をまとめて固定する固定片２５が設けられている。
【００２４】
この固定片２５は、一対の長板状に形成され、長手方向に対して直行する方向に３本の溝部２５ａが設けられている。溝部２５ａは、掻き取りブロック２１に形成された第一ワイヤ挿通孔２０ａと第二ワイヤ挿通孔２０ｂと第三ワイヤ挿通孔２０ｃとに挿通されるワイヤ３に対応した間隔で設けられている。一対の固定片２５のうちの一方には、隣接する溝部２５ａの間に、ボルト２６を挿通する挿通孔２５ｂが設けられている。また、他方の固定片２５には、隣接する溝部２５ａの間に、ボルト２６を螺合するネジ孔２５ｃが設けられている。固定片２５は、溝部２５ａ同士を対向させ、その間にワイヤ３を挟持した状態で、一方の固定片２５の外側から挿通孔２５ｂにボルト２６を挿通し、他方の固定片２５のネジ孔２５ｃに当該ボルト２６を螺合して挟持固定される。そして、この固定によって３本のワイヤ３を強固に一体化した状態で固定できるようになされている。この固定片２５は、ワイヤ３の両側において、カラー部材２４を設けたさらに末端側に固定される。この際、固定片２５は、３本のワイヤ３を全て同じ長さに設定して固定片２５に固定するものであってもよいし、３本のワイヤ３のうち、掻き取りブロック２１の中央の第二ワイヤ挿通孔２０ｂに挿通されるワイヤ３の長さに対して、第一ワイヤ挿通孔２０ａに挿通されるワイヤ３の長さを短くし、第三ワイヤ挿通孔２０ｃに挿通されるワイヤ３の長さを長くして固定片２５に固定するものであってもよい。
【００２５】
３本のワイヤ３を全て同じ長さに設定して固定片２５に固定した場合、掻き取りブロック２１は、直線状に並び、これら３本のワイヤ３によって平面的に安定するので、搬送ベルト１０２の外表面に掻き取り部材２を当接した際に、当該掻き取り部材２を反転し難くすることができる。
【００２６】
また、掻き取りブロック２１の中央の第二ワイヤ挿通孔２０ｂに挿通されるワイヤ３の長さに対して、第一ワイヤ挿通孔２０ａに挿通されるワイヤ３の長さを短くし、第三ワイヤ挿通孔２０ｃに挿通されるワイヤ３の長さを長くして固定片２５に固定した場合、掻き取りブロック２１は、図６に示すように、円弧状となるため、上記した３本のワイヤ３を同じ長さで固定した場合より、より平面的な広がりが増すこととなる。したがって、搬送ベルト１０２の外表面に掻き取り部材２を当接した際に、当該掻き取り部材２をより反転し難くすることができる。なお、第三ワイヤ挿通孔２０ｃに挿通されるワイヤ３の長さを短くし、第一ワイヤ挿通孔２０ａに挿通されるワイヤ３の長さを長くして固定片２５に固定することによって、図６とは反対側に円弧状となるようにしてもよい。
【００２７】
このようにして構成される搬送ベルトクリーナ１は、ベルトコンベア１００の駆動プーリー１０１の位置において、搬送ベルト１０２の搬送方向に対して、搬送ベルトクリーナ１が所定の角度で斜めに横断し、当該搬送ベルトクリーナ１の掻き取り部材２が搬送ベルト１０２の外表面に当接するように設けられる。そして、搬送ベルトクリーナ１は、斜めに横断した搬送ベルトコンベア１００の搬送下流側の一側短部において、固定装置４に固定され、搬送上流側の一側短部において、弾性固定装置５に固定される。
【００２８】
固定装置４は、アングル材４１と、当該アングル材４１に固定されたブラケット４２と、固定棒４３とを具備して構成されている。
【００２９】
アングル材４１は、長手方向に沿って長孔４１ａが設けられている。この長孔４１ａの所望の位置で、ブラケット４２の基板４２１を当接し、当該基板４２１に設けられたボルト孔４２１ａと前記長孔４１ａとにワッシャ４４ａを介してボルト４４を挿通し、反対側の面からナット４５で締結固定することで、アングル材４１にブラケット４２を固定できるようになされている。
【００３０】
ブラケット４２は、基板４２１に対して支持板４２２が蝶番４２３で角度調節できるように形成されており、蝶番４２３のボルト軸４２３ａと、ナット４２３ｂとを締結することで、基板４２１に対して支持板４２２を所定の角度で固定できるように構成されている。この固定板４２２の中央には固定棒４３が挿通される挿通孔４２２０が設けられ、この挿通孔４２２０の周囲には、３本のワイヤ３を挿通する一対のワイヤ挿通孔４２２ａ，４２２ａ、４２２ｂ，４２２ｂ、４２２ｃ，４２２ｃが設けられている。
【００３１】
固定棒４３は、軸本体４３１の一端に固定板４３２を設けて構成されている。この固定棒４３は、ブラケット４２の支持板４２２に設けられた挿通孔４２２０に軸本体４３１を挿通し、支持板４２２を挟んだ反対側からナット４３３を螺合してブラケット４２に取り付けられる。固定板４３２には、３本のワイヤ３に対応した３つのワイヤ挿通孔４３２ａ，４３２ｂ，４３２ｃが設けられている。このワイヤ挿通孔４３２ａ，４３２ｂ，４３２ｃには、３本のワイヤ３に固定された固定片２５よりも末端側のワイヤ３が挿通され、固定板４３２を挟んだ反対側から、再度固定片２５が３本のワイヤ３に固定される。この固定片２５よりもさらに末端側の余剰のワイヤ３は、支持板４２２を往復するように、当該支持板４２２のワイヤ挿通孔ワイヤ挿通孔４２２ａ，４２２ａ、４２２ｂ，４２２ｂ、４２２ｃ，４２２ｃに挿通される。ワイヤ３の末端には、抜け止め具４６が設けられる。
【００３２】
弾性固定装置５は、アングル材５１と、当該アングル材５１に固定されたブラケット５２と、固定棒５３と、当該固定棒５３をブラケット５２に弾性支持させるスプリング５４とを具備して構成されている。
【００３３】
アングル材５１は、長手方向に沿って長孔５１ａが設けられている。この長孔５１ａの所望の位置で、ブラケット５２の基板５２１を当接し、当該基板５２１に設けられたボルト孔５２１ａと前記長孔５１ａとにワッシャ５５ａを介してボルト５５を挿通し、反対側の面からナット５６で締結固定することで、アングル材５１にブラケット５２を固定できるようになされている。
【００３４】
ブラケット５２は、基板５２１に対して支持板５２２が蝶番５２３で角度調節できるように形成されており、蝶番５２３のボルト軸５２３ａと、ナット５２３ｂとを締結することで、基板５２１に対して支持板５２２を所定の角度で固定できるように構成されている。この支持板５２２の中央には固定棒５３が挿通される短管５２２ａが設けられている。
【００３５】
固定棒５３は、軸本体５３１の一端に、固定板５３２を設けて構成されている。この固定板５３２は、軸本体５３１の長手方向に沿って、かつ、前記支持板５２２の短管５２２ａに挿通可能な長板形状となされている。固定棒５３は、ブラケット５２の支持板５２２に設けられた短管５２２ａに軸本体５３１を挿通し、支持板５２２を挟んだ反対側からスプリング５４およびワッシャ５４ａを介してナット５３３を螺合してブラケット５２に弾性固定される。固定板５３２には、３本のワイヤ３に対応した３つのワイヤ挿通管５３２ａ，５３２ｂ，５３２ｃが設けられている。このワイヤ挿通管５３２ａ，５３２ｂ，５３２ｃには、３本のワイヤ３に固定された固定片２５よりも末端側のワイヤ３が挿通されて固定される。この固定は、ワイヤ挿通管５３２ａ，５３２ｂ，５３２ｃにそれぞれワイヤ３を挿通した後、ワイヤ挿通管５３２ａ，５３２ｂ，５３２ｃをカシメて固定するものであってもよいし、または溶接して固定するものであってもいし、ワイヤ挿通管５３２ａ，５３２ｂ，５３２ｃを挟んだ反対側から、再度固定片（図示省略）を３本のワイヤ３に固定して固定するものであってもよい。
【００３６】
上記のように、搬送ベルトクリーナ１は、斜めに横断した搬送ベルトコンベア１００の搬送下流側の一側短部において、固定装置４に固定され、搬送上流側の一側短部において、弾性固定装置５に固定される。この際、固定装置４のアングル材４１と、弾性固定装置５のアングル材５１とは、あらかじめ搬送ベルトコンベア１００の両側の所望の位置に溶接固定などによって固定しておく。この固定位置としては、ベルトコンベア１００の駆動プーリー１０１の位置において、搬送ベルト１０２の外表面に当接されるため、駆動プーリー１０１の円筒面に対応するように位置決めして設けられる。本実施の形態では、搬送上流側である弾性固定装置５のアングル材５１は、垂直方向に沿って設け、搬送下流側である固定装置４のアングル材４１は水平方向に沿って設けているが、特にこのような位置に限定されるものではなく、駆動プーリー１０１のどの位置において搬送ベルト１０２の外表面に当接するかに応じて適宜決定される。したがって、弾性固定装置５のアングル材５１が水平方向に沿って設けられていても良いし、固定装置４のアングル材４１が垂直方向に沿って設けられていてもよい。
【００３７】
そして、アングル材４１，５１の長孔４１ａ，５１ａに沿って、ブラケット４２，５２の位置を決めたり、ブラケット４２，５２の蝶番４２３，５２３の角度調整をしたり、ワイヤ３の張り具合を調整したりすることによって掻き取り部材２が搬送ベルト１０２の外表面に当接するように微調整される。
【００３８】
この搬送ベルトクリーナ１を取り付けた搬送ベルトクリーナ構造によると、搬送ベルトコンベア１００の搬送ベルト１０２に付着した付着物を、掻き取り部材２によって掻き取り除去することができる。
【００３９】
この際、搬送ベルト１０２に強固に付着した付着物であっても、搬送ベルトクリーナ１の搬送上流側に設けた弾性固定装置５のスプリング５４が圧縮されてワイヤ３に弾性が働くこととなり、無理に付着物を掻き取ることなく、掻き取り部材２が付着物を乗り越えるので、掻き取りブロック２１や搬送ベルト１０２を傷めることなく、何周回かするうちに、搬送ベルト１０２に付着した強固な付着物を掻き取り除去することができる。
【００４０】
なお、本実施の形態では、搬送上流側に弾性固定装置５を設け、搬送下流側に固定装置４を設けているが、搬送上流側に固定装置４を設け、搬送下流側に弾性固定装置５を設けてもよい。ただし、ワイヤ３に弾性を働かせる構成としては、本実施の形態のように、搬送上流側に弾性固定装置５を設け、搬送下流側に固定装置４を設けた構成とすることがより好ましい。
【００４１】
また、搬送ベルトクリーナ１は、固定片２５によって３本のワイヤ３に、掻き取りブロック２１、ワッシャ２３、カラー部材２４を隙間無く固定しているので、掻き取りブロック２１全体が、平面的に一体化することとなる。したがって、搬送ベルト１０２の外表面に付着した付着物を、掻き取り部材２によって掻き取り除去する際に、掻き取り部材２が反転してしまうことを防止することができる。
【００４２】
また、図６に示すように、掻き取りブロック２１が円弧状となるように固定した場合は、掻き取り部材２がより平面的に広がりを増すこととなるので、搬送ベルト１０２の外表面に掻き取り部材２を当接した際に、当該掻き取り部材２をより反転し難くすることができる。
【００４３】
なお、この場合、搬送ベルトクリーナ１は、円弧状に固定した掻き取りブロック２１の内径側が搬送上流側となるように設ける、すなわち、搬送上流側の第一ワイヤ挿通孔２０ａに挿通されるワイヤ３が短くなるように円弧状に固定した掻き取り部材２を設ける方が、搬送下流側の第三ワイヤ挿通孔２０ｃに挿通されるワイヤ３が短くなるように円弧状に固定した掻き取り部材２を設ける場合よりも、当該掻き取り部材２を搬送ベルト１０２の外表面に当接し易くなり、かつ、より反転し難くすることができるので、好ましい。
【００４４】
なお、本実施の形態において、ワイヤ３は固定片２５によって３本をまとめて固定して両端に固定装置４と弾性固定装置５とを設けて掻き取り部材２を平面的に一体化した状態で固定しているが、１本ずつワイヤ３に固定するように構成された固定片（図示省略）を、当該ワイヤ３に固定して３本のワイヤ３を独立させ、それぞれのワイヤ３の両端に固定装置４と弾性固定装置５とをそれぞれ設けて掻き取り部材２を固定するものであってもよい。ただし、この場合、各ワイヤ３毎に、ワイヤ３の張り具合を完全に一致させることは難しく、各ワイヤ３毎に張り具合に誤差を生じて掻き取り部材２が安定しなくなるので、搬送上流側のワイヤ３を、搬送下流側のワイヤ３よりも強く張っておくことが好ましい。この場合、掻き取り部材２が安定せずに揺動するようなことがあったとしても、掻き取り部材２の搬送上流側のワイヤ３は張りが強いぶん、支点として安定し、搬送下流側の部分が揺動することとなり、掻き取り部材２が反転するようなことにはならない。
【００４５】
また、１本ずつワイヤ３に固定するように構成された固定片（図示省略）と２本まとめてワイヤ３を固定するように構成された固定片(図示省略）とを、当該ワイヤ３に固定し
、それぞれのワイヤ３の両端に固定装置４と弾性固定装置５とを設けて掻き取り部材２を固定するものであってもよい。この場合、搬送上流側のワイヤ３が１本固定になっても２本固定になっても良いが、搬送上流側のワイヤ３は、搬送下流側のワイヤ３よりも強く張っておくことが好ましい。この場合、掻き取り部材２が安定せずに揺動するようなことがあったとしても、掻き取り部材２の搬送上流側のワイヤ３は張りが強いぶん、支点として安定し、搬送下流側の部分が揺動することとなり、掻き取り部材２が反転するようなことにはならない。特に、搬送上流側の２本のワイヤ３をまとめて固定し、他の一本のワイヤ３を別に固定するように構成した方が、搬送上流側の２本のワイヤ３が平面的に安定した支点となって掻き取り部材２の揺動を防止するため、搬送上流側の１本のワイヤ３を固定し、他の２本のワイヤ３を別にまとめて固定するように構成したときよりも、より好ましい。
【００４６】
さらに、複数台の固定装置４と弾性固定装置５とによって各ワイヤ３を固定する場合、搬送上流側のワイヤ３は、固定装置４と弾性固定装置５との間の固定間隔が、搬送下流側のワイヤ３よりも短くなるようにしておくことが好ましい。すなわち、この固定間隔が短い方が、ワイヤ３のブレが少ないので、搬送上流側における掻き取り部材２のブレを、搬送下流側よりも少なくして掻き取り部材２をより安定させることができる。
【００４７】
また、本実施の形態において、掻き取り部材２を構成する各掻き取りブロック２１は、第二ワイヤ挿通孔２０ｂを、掻き取りブロック２１の幅方向に沿った中心位置に設けているが、この第二ワイヤ挿通孔２０ｂは、当該中心位置よりも、搬送上流側である第一ワイヤ挿通孔２０ａ側に寄って偏心していてもよい。この場合、各掻き取りブロック２１にワイヤ３を挿通して掻き取り部材２を搬送ベルト１０２の外表面に当接した状態で、各掻き取りブロック２１の搬送ベルト１０２への当接荷重は、幅方向に沿った中心位置よりも搬送上流側に偏心して加えられるが、搬送上流側からは、常に搬送ベルト１０２が送られて来るので、この搬送ベルト１０２の搬送力と偏心した当接荷重とが互いに打ち消しあって、掻き取り部材２は安定した状態を保つことができることとなる。
【産業上の利用可能性】
【００４８】
本発明は、搬送ベルトの外表面に付着した付着物を除去するための搬送ベルトクリーナであり、例えば、製鉄所、化学プラント、各種発電所、建築現場、下水処理場、或いはゴミ処理場などの各種作業現場において使用されているベルトコンベア等の搬送装置における搬送ベルトの外表面に付着した付着物の掻き取り除去について好適に使用される。
【符号の説明】
【００４９】
１  搬送ベルトクリーナ
２  掻き取り部材
２０ａ  第一ワイヤ挿通孔（ワイヤ挿通孔）
２０ｂ  第二ワイヤ挿通孔（ワイヤ挿通孔）
２０ｃ  第三ワイヤ挿通孔（ワイヤ挿通孔）
２１  掻き取りブロック
２４  カラー部材
２５  固定片
３ ワイヤ
４  固定装置
５  弾性固定装置
１００  ベルトコンベア
１０１  駆動プーリ
１０２  搬送ベルト
【図１】
0005739313.tif 000002
【図２】
0005739313.tif 000003
【図３】
0005739313.tif 000004
【図４】
0005739313.tif 000005
【図５】
0005739313.tif 000006
【図６】
0005739313.tif 000007